(57)【特許請求の範囲】
【請求項１】
給水ホース１に連通する垂立の回転軸部２から水平方向に延出する複数の散水管３ａ，３ｂ等からなる散水機構Ａとワイヤー巻取装置Ｂを搭載し、前記散水管３ａ，３ｂ先端ノズル４からの吐水圧の反作用でワイヤー５を巻き取り走行する無人散水車において、各散水管３ａ，３ｂの先端ノズル４が描く円軌跡Ｃの直径より大径となってそのノズル４の近傍に位置するリング状のガード杆６を機体上に架設するとともに、該ガード杆６を機体の中央部側に折りたたみ可能にして取り付け構成したことを特徴とする散水部保護装置。
【発明の詳細な説明】
【０００１】
【産業上の利用分野】
本発明は、散水機構とワイヤー巻取装置を搭載し、吐水圧の反作用でワイヤーを巻き取り走行する無人散水車の散水部保護装置に関する。
【０００２】
【従来の技術】
従来、例えば特願平６−２１０５３号に見られるように、給水ホースに連通する垂立の回転軸部から水平方向に延出する複数の散水管等からなる散水機構とワイヤー巻取装置を搭載し、前記散水管先端ノズルからの吐水圧の反作用でワイヤーを巻き取り走行する無人散水車において、散水機構の作動中に、前記散水管の回転域を覆う部材がなかった。
【０００３】
【発明が解決しようとする課題】
したがって、例えば作業状態の確認をするような場合、作動中の散水管に不用意に近づいてしまって、回転中の散水管により足を叩かれたり、障害物に当たり、散水管が破損する、といったおそれがあった。
【０００４】
【課題を解決するための手段】
本発明は、そのような問題点を解決し、作動中に散水管を安全状態に有効に保護可能とするものであり、そのため、給水ホースに連通する垂立の回転軸部から水平方向に延出する複数の散水管等からなる散水機構とワイヤー巻取装置を搭載し、前記散水管先端ノズルからの吐水圧の反作用でワイヤーを巻き取り走行する無人散水車において、各散水管の先端ノズルが描く円軌跡の直径より大径となってそのノズルの近傍に位置するリング状のガード杆を機体上に架設するとともに、該ガード杆を機体の中央部側に折り畳たたみ可能にして取り付け構成したものである。
【０００５】
【作用】
したがって、散水管が回転している作動中に不用意にその周囲に接近したとしても、ガード杆に足が当たることになって、散水管により足を叩かれたりするといったおそれがなく、又、障害物に当たり散水管が破損することもなく安全性を確保できることになり、また、機体を運搬車に搭載して運搬したり、格納庫に格納しておく場合には、ガード杆を機体の中央部側に折りたたんで機体を好適に小形化しておくことができる。
【０００６】
【実施例】
図１は無人散水車全体を示した平面図であり、機体の前部と後部にはキャスタの前輪７と両後輪８，８を装備し、機体には、水供給用の給水ホース１に連通する散水機構Ａとワイヤー巻取装置Ｂを搭載するとともに、開閉自在の前カバー９と後カバー１０を装備し、前記ワイヤー巻取装置Ｂから機体前部のワイヤーガイド１１を通して繰り出すワイヤー５の先端を、散水作業場に立設した杭２２に繋止できるようにして構成する。
【０００７】
前記散水機構Ａは、前記給水ホース１に連通する基管１２を機台２３上に固定して立設し、前記基管１２の上方には、該基管１２の内部に連通して下部のギヤ１３とともに回転できる回転軸部２を立設し、該回転軸部２の両側方には、先端に直交方向のノズル４をそれぞれ有した両散水管３ａ，３ｂの基端部を着脱自在に嵌挿してセットボルト１４、１４により固定させることができるボス２ａ，２ｂを突設し、また前記回転軸部２の上方では、水の噴射により反動板１５が回転してスプリングによりノズル１６を引き寄せ、回転しながら散水できるようにして構成する。
【０００８】
前記ワイヤー巻取装置Ｂは、前記ギヤ１３に常時噛合する伝動ギア１７の下方同一軸上にウオームギヤ１８を設け、前記ワイヤーガイド１１から整列板１９を通して延出する前記ワイヤー５を巻取ることができるワイヤードラム２０の横側部には、前記ウオームギヤ１８に常時噛合するウオームホイール２１を設けて構成する。
【０００９】
前記両散水管３ａ，３ｂの先端ノズル４が描く円軌跡Ｃの直径より大径となってそのノズル４の外方側近傍に位置するリング状のガード杆６を機体上に架設するが、該ガード杆６は少しく屈曲した短い前後のガード部６ｄ，６ｃと、円弧状に屈曲した長い両側のガード部６ｂ，６ａとからなり、また、前記基管１２の上部に噛合固定した支持金具２４より機体の左右側に延出するステー２５ｂ，２５ａの先端には相互に平行となるボス２６ｂ，２６ａをそれぞれ固設し、両ボス２６ｂ，２６ａには前記回転軸部２から取り外した散水管３ｂ，３ａを係止することができる係止片２７ｂ，２７ｂ，２７ａ，２７ａを装備した平行の両支持杆２８ｂ，２８ａの中間部をそれぞれ嵌挿して固定し、両支持杆２８ｂ、２８ａの前後端部には、両ガード部６ｄ，６ｃの両端の支持具２９，２９，３０，３０をそれぞれ嵌着するとともに、両ガード部６ｂ，６ａの両端の支持具３１，３１，３２，３２をそれぞれ回動自由に嵌装し、各支持具３１，３１，３２，３２より突設した突出部３１ａ，３１ａ，３２ａ，３２ａには停止具３３，３３，３４，３４をそれぞれ係脱自在にして、その係止解除により両ガード部６ｂ，６ａを上方側に回動させながらガード杆６を機体の中央部側に折りたたむことができるように構成する。
【００１０】
なお、両支持杆２８ａ，２８ｂの後端部を結合連結して、その連結部にガード部６ａ，６ｂの端部をそれぞれ枢支し、ガード部６ａ，６ｂを折りたたむことができるように構成することもできる。
【００１１】
したがって、散水機構Ａにより散水する際には、ノズル４，４からの吐水圧の反作用で回転軸部２が回転することになって、ギヤ１３によりワイヤードラム２０が強制駆動されながらワイヤー５を巻き取って機体を杭２２の方向へ前進させ、無人散水を行なうことができることになる。
【００１２】
図１および図３に示すように、左右のガード部６ｂ，６ａを水平方向に回動させて係止具３３，３３，３４，３４の係合によりロックしておくと、散水管３ａ，３ｂが回転している作動中に、不用意にその周囲に接近したとしても、ガード杆６に足が当たることになって、散水管により足を叩かれたりするといったおそれがなく、又、障害物に当たって、散水管３ａ，３ｂが破損することもなく安全性を確保できることになる。
【００１３】
また、機体を運搬車により運搬したり、格納庫に格納する場合には、係止具３３，３３，３４，３４を操作してロック解除するとともに、両ガード部６ａ，６ｂを上方に回動させると、図４および図５に示すように、ガード杆６を機体の中央部側に折りたたんで小形化することができる。
【００１４】
【発明の効果】
このように本発明は、散水管３ａ，３ｂが回転している作動中に、不用意にその周囲に接近したとしても、ガード杆６に足が当たることになって、散水管に足を叩かれたりするといったおそれがなく、又、障害物に当たって散水管３ａ，３ｂが破損することもなく安全性を確保できることになり、また、機体を運搬車に搭載して運搬したり、格納庫に格納しておく場合には、ガード杆６を機体の中央部側に折りたたんで機体を好適に小形化することができることになり、ガード杆６は安全性が高くて機体の外周囲が不必要に大型化しないようリング状にして好適に実施できる特徴を有する。
【図面の簡単な説明】
【図１】本発明実施例の無人散水車全体を示した平面図である。
【図２】無人散水車の一部を示した斜視図であ・。
【図３】図１の一部を示した正面図である。
【図４】図３の作動状態を示した正面図である。
【図５】図１の作動状態を示した平面図である。
【符号の説明】
１      給水ホース
２    回転軸部
３ａ，３ｂ    散水管
Ａ    散水機構
Ｂ    ワイヤー巻取装置
４    ノズル
５    ワイヤー
６    ガード杆
【図１】
0003631290.tif 000002
【図２】
0003631290.tif 000003
【図３】
0003631290.tif 000004
【図４】
0003631290.tif 000005
【図５】
0003631290.tif 000006